(57)【要約】【課題】自動連続再生機能を使用してプリント画像を選択する作業効率を向上できるようにする。【解決手段】記憶装置に記憶された全ての画像または予め選択された複数の画像を連続再生する再生手段と、前記再生手段により再生された画像を表示装置に表示する表示制御手段と、前記表示装置に表示された画像を印刷する画像印刷手段と、前記再生手段により複数画像を連続再生中に、前記表示装置に表示されている画像を前記画像印刷手段により印刷させるように制御する動作制御手段とを設け、複数画像を自動連続再生しながら、再生中の画像をプリントできるようにすることにより、プリントする画像を選択するための画像送り操作を自動化できるようにする。【選択図】図１
2007283609.tif 000002
【特許請求の範囲】
【請求項１】
記憶装置に記憶された全ての画像または予め選択された複数の画像を順次再生する再生手段と、
前記再生手段により再生された画像を表示装置に表示する表示制御手段と、
前記表示装置に表示された画像を印刷する画像印刷手段と、
前記再生手段により複数画像を順次再生中に、前記表示装置に表示されている画像を前記画像印刷手段により印刷させるように制御する動作制御手段とを有することを特徴とする印刷装置。
【請求項２】
前記動作制御手段は、前記画像印刷手段が画像の印刷を終了した後に、前記再生手段による画像の順次再生を再開させることを特徴とする請求項１に記載の印刷装置。
【請求項３】
前記動作制御手段は、前記画像印刷手段が画像の印刷を開始した後に、前記再生手段による画像の順次再生を再開させることを特徴とする請求項１に記載の印刷装置。
【請求項４】
前記動作制御手段は、前記再生手段による画像の順次再生を再開させる際に、印刷対象であった画像から順次再生を再開することを特徴とする請求項２または３に記載の印刷装置。
【請求項５】
前記動作制御手段は、前記再生手段による画像の順次再生を再開させる際に、印刷対象であった画像の次の画像から順次再生を再開することを特徴とする請求項２または３に記載の印刷装置。
【請求項６】
前記動作制御手段は、前記再生手段による画像の順次再生を再開させる際に、一時停止状態から順次再生を再開することを特徴とする請求項２〜５の何れか１項に記載の印刷装置。
【請求項７】
前記順次再生は、設定したタイミングで連続的に画像を切換えながら再生するスライドショー機能であることを特徴とする請求項１〜６の何れか１項にに記載の印刷装置。
【請求項８】
記憶装置に記憶された全ての画像または予め選択された複数の画像を再生装置により順次再生する再生工程と、
前記再生工程において再生された画像を表示装置に表示する表示制御工程と、
前記表示装置に表示された画像を印刷装置で印刷する画像印刷工程と、
前記再生装置において複数画像を順次再生中に、前記表示装置に表示されている画像を前記印刷装置で印刷させるように動作制御装置で制御する動作制御工程とを有することを特徴とする印刷装置の制御方法。
【請求項９】
前記動作制御装置は、前記印刷装置が画像の印刷を終了した後に、前記再生装置による画像の順次再生を再開させることを特徴とする請求項８に記載の印刷装置の制御方法。
【請求項１０】
前記動作制御装置は、前記画像印刷装置が画像の印刷を開始した後に、前記再生装置による画像の順次再生を再開させることを特徴とする請求項８に記載の印刷装置の制御方法。
【請求項１１】
前記動作制御装置は、前記再生装置による画像の順次再生を再開させる際に、印刷対象であった画像から順次再生を再開することを特徴とする請求項８または９に記載の印刷装置の制御方法。
【請求項１２】
前記動作制御装置は、前記再生装置による画像の順次再生を再開させる際に、印刷対象であった画像の次の画像から順次再生を再開することを特徴とする請求項８または９に記載の印刷装置の制御方法。
【請求項１３】
前記動作制御装置は、前記再生装置による画像の順次再生を再開させる際に、一時停止状態から順次再生を再開することを特徴とする請求項８〜１１の何れか１項に記載の印刷装置の制御方法。
【請求項１４】
前記順次再生は、設定したタイミングで連続的に画像を切換えながら再生するスライドショー機能であることを特徴とする請求項８〜１３の何れか１項に記載の印刷装置の制御方法。
【請求項１５】
記憶装置に記憶された全ての画像または予め選択された複数の画像を再生装置により順次再生する再生工程と、
前記再生工程において再生された画像を表示装置に表示する表示制御工程と、
前記表示装置に表示された画像を印刷装置で印刷する画像印刷工程と、
前記再生装置において複数画像を順次再生中に、前記表示装置に表示されている画像を前記印刷装置で印刷させるように動作制御装置で制御する動作制御工程とを有する印刷装置の制御方法をコンピュータに実行させることを特徴とするプログラム。
【請求項１６】
前記請求項１５に記載のプログラムを記録したことを特徴とするコンピュータ読み取り可能な記録媒体。
【発明の詳細な説明】
【技術分野】
【０００１】
本発明は印刷装置及びその制御方法、プログラム、記録媒体に関し、特に、画像を自動順次再生しながら所望の画像をプリントするために用いて好適な技術に関する。
【背景技術】
【０００２】
従来、画像表示を備え、前記画像表示部にプリントするための画像を表示させ、表示画面を見ながら所望の画像を選択するようにした印刷装置が提案されている。前記画像表示部に表示させる画像送り操作を手作業で行うのは面倒であり、利便性を欠いてしまう問題点があった。
【０００３】
そこで、静止画像を所定の再生時間ごとに自動的に画像を順次、切換えながら再生する、「スライドショー」と呼ばれる自動順次再生機能が提案されている（例えば、特許文献１参照）。表示画面に表示させる画像を前記のような自動順次再生機能を用いて、あらかじめ設定しておいた時間が経つと自動的に順次次の画像を再生し、表示するようにすると、手作業で画像送りを行う手間を省略することができる。
【０００４】
【特許文献１】特開２００４―１３４９４３号公報
【発明の開示】
【発明が解決しようとする課題】
【０００５】
しかしながら、画像送りのために自動順次再生機能を用い、所望の画像を順番に表示させるようにした場合に、表示された画像をプリントするためには自動順次再生を中止する必要があった。
【０００６】
そして、自動順次再生を中止させた状態で所望の画像をプリントさせるようにした後に、次の画像を探すために自動順次再生を再開する場合には、最初の画像から行わなければならないので、プリント画像を選択する効率が悪い問題があった。
【０００７】
本発明は前述の問題点にかんがみ、自動順次再生機能を使用してプリント画像を選択する作業効率を向上できるようにすることを目的としている。
【課題を解決するための手段】
【０００８】
本発明の印刷装置は、記憶装置に記憶された全ての画像または予め選択された複数の画像を順次再生する再生手段と、前記再生手段により再生された画像を表示装置に表示する表示制御手段と、前記表示装置に表示された画像を印刷する画像印刷手段と、前記再生手段により複数画像を順次再生中に、前記表示装置に表示されている画像を前記画像印刷手段により印刷させるように制御する動作制御手段とを有することを特徴とする。
【０００９】
本発明の印刷装置の制御方法は、記憶装置に記憶された全ての画像または予め選択された複数の画像を再生装置により順次再生する再生工程と、前記再生工程において再生された画像を表示装置に表示する表示制御工程と、前記表示装置に表示された画像を印刷装置で印刷する画像印刷工程と、前記再生装置において複数画像を順次再生中に、前記表示装置に表示されている画像を前記印刷装置で印刷させるように動作制御装置で制御する動作制御工程とを有することを特徴とする。
【００１０】
本発明のプログラムは、記憶装置に記憶された全ての画像または予め選択された複数の画像を再生装置により順次再生する再生工程と、前記再生工程において再生された画像を表示装置に表示する表示制御工程と、前記表示装置に表示された画像を印刷装置で印刷する画像印刷工程と、前記再生装置において複数画像を順次再生中に、前記表示装置に表示されている画像を前記印刷装置で印刷させるように動作制御装置で制御する動作制御工程とを有する印刷装置の制御方法をコンピュータに実行させることを特徴とする。
【発明の効果】
【００１１】
本発明によれば、記憶装置に記憶された全ての画像または予め選択された複数の画像を順次再生する再生手段と、前記再生手段により再生された画像を表示装置に表示する表示制御手段と、前記表示装置に表示された画像を印刷する画像印刷手段と、再生手段により複数画像を順次再生中に、前記表示装置に表示されている画像を前記画像印刷手段により印刷させるように制御する動作制御手段とを設けたので、同じ画像を誤って２度プリントしたり、同じ画像を複数回見たりする無駄を省略することができ、自動順次再生機能を使用してプリント画像を選択する作業効率を向上することができる。
また、本発明の他の特徴によれば、自動順次再生再開時に順次再生の一時停止状態から始めるようにしたので、操作者の意思にかかわりなく自動順次再生が進んでしまうことを防ぐことができ、また同じ画像を条件を変えて再度プリントする場合に有効である。
【発明を実施するための最良の形態】
【００１２】
（第１の実施形態）
以下に、図面を用いて本発明の実施形態を説明する。
図１は本実施形態を示し、自動連続（順次）再生機能を有する印刷装置の構成例を表すブロック図である。図１に示したように、印刷装置を構成する各ブロックはバス１０１によって互いに結合されている。
【００１３】
画像データは、CF（Compact Flash：（登録商標））１０２に保持されておりＩＯ制御部１０３を通して読み出される。そして、読み出された画像データは画像再生部１０６によって表示可能なデータに変換され、表示部１０８に送られて表示される。
【００１４】
ＣＦ１０２に複数の画像が保持されている場合には、GUI操作部１１３の画像送りボタン（図示せず）で別の画像を表示することができる。GUI操作部１１３の各ボタンの操作内容はGUI制御部１１２を通して各ブロックへ伝えられる。
【００１５】
再生中の画像は、GUI操作部１１３のプリントボタンを押すことでプリントすることができる。プリントボタンを押下するとプリント設定画面が表示部１０８に表示される。プリント設定画面ではプリント枚数やプリントレイアウトを選択できる。設定されたプリント設定は印刷設定部１０９に保持される。
【００１６】
プリント設定画面表示中にプリントボタンをさらに押下すると、プリント設定画面にて設定したプリント設定に従ってプリントが実行される。そして、プリント実行が指示されると、画像選択部１０７はプリント対象となる画像を、ＩＯ制御部１０３を通してＣＦ１０２から読み出す。ＣＦ１０２から読み出された画像データは、印刷データ生成部１１０によってプリントするためのデータ形式に変換される。
【００１７】
この変換過程において、プリント設定が印刷設定部１０９から読み出され、その設定に従ってプリントデータが生成される。そして、印刷データ生成部１１０により生成されたプリントデータは、印刷部１１１により用紙にプリントされる。
【００１８】
自動連続再生を行うにはGUI操作部１１３にてオートプレイボタン（図示せず）を押下する。オートプレイボタンを押下すると、表示部１０８に自動連続再生設定画面が表示される。この設定画面では再生対象の画像の選択、１画像あたりの再生時間、再生が一巡したあとに先頭から順次画像再生を繰り返すかどうか、自動連続再生時にプリントのために自動連続再生を中断した場合の再開時の再生状態を一時停止状態とするかどうかを設定できる。また、再開時に中断前に表示していた画像から再生を再開するか、プリント終了を待たずに再生を再開するか等の項目について設定することができるように構成されている。
【００１９】
自動連続再生設定は初期状態では、「再生対象は全画像」、「再生時間は３秒」、「繰り返し再生なし」、「再開時一時停止」、「再開時中断前画像」、「プリントの終了を待つ」等のように設定されている。設定された自動連続再生設定は再生範囲設定部１０４によって整合性をチェックし、設定はデータ保持部１０５に保持される。
【００２０】
任意に自動連続再生設定を行い、さらにオートプレイボタンを押すと再生範囲設定部１０４はデータ保持部１０５に保持された自動連続再生設定データを読み出し、再生指定された画像番号を画像選択部１０７に送信する。
【００２１】
画像選択部１０７は、指定された画像データをＩＯ制御部１０３を通してＣＦ１０２から読み出し、それを表示部１０８に表示する。これを設定された画像の全てについて繰り返し、自動連続再生を実行する。
【００２２】
なお、図１においては本実施形態の印刷装置に設けられている機能ごとのブロックに分けて説明した。しかし、ＩＯ制御部１０３、再生範囲設定部１０４、画像再生部１０６、画像選択部１０７、印刷設定部１０９、印刷データ生成部１１０、ＧＵＩ制御部１１２等の各部は、ＣＰＵ、ＲＯＭ及びＲＡＭ等よりなるコンピュータシステムによって構成される。そして、このコンピュータシステムにより、本実施形態の再生手段、表示制御手段、動作制御手段等がプログラムにより構成される。
【００２３】
図２は、自動連続再生設定を記憶するデータ構造の一例を説明する図である。図２に示した各項目は４バイトのデータ長を有している。
図２において、２０１は再生時間を記憶する項目であり、単位はmsecである。２０２は再生の繰り返し設定を記憶する項目であり、設定が「１」ならば再生設定された画像をすべて再生し終わっても最初から繰り返し再生を続ける。また、設定が「０」ならば一巡した後に自動連続再生を終える。
【００２４】
２０３は自動連続再生中にプリントを実行し、その後の自動連続再生の再開時の状態を記憶する項目であり、設定が「１」ならば一時停止状態で再開する。また、設定が「０」ならば再開時に自動連続再生を続ける。
【００２５】
２０４は自動連続再生中にプリントを実行し、その後の自動連続再生の再開時にどの画像から再開するかを記憶する項目であり、設定が「１」ならば中断時に表示していた画像から再生を再開する。また、設定が「０」ならば中断時に表示していた画像の次の画像から再生を再開する。
【００２６】
２０５は自動連続再生を中断した時に表示していた画像番号を記憶する項目であり、自動連続再生開始前または終了時には「−１」が記憶されている。
２０６は自動連続再生中にプリントを行った時の再生動作を記憶する項目であり、「１」であればプリント開始直後に自動連続再生を再開する。また、設定が「０」であればプリントの終了を待ってから自動連続再生を再開する。２０７は再生画像数を記憶する項目である。前述した、２０１から２０７までの項目は必ず存在する。
【００２７】
一方、以下に説明する２０８以降は、再生対象画像番号を記憶する項目である。ＣＦ１０２に記録されている画像は、本実施形態の印刷装置内ではユニークな画像番号を割り振られており、画像番号を特定することで画像を特定できるようになっている。
【００２８】
２０８以降の項目において、再生対象画像番号は最大９９８個まで記憶できる。本実施形態において、自動連続再生設定データの終端は、項目２０７の再生画像数に４バイトを乗じたサイズ分のデータが２０８以降存在するとして判定できる。画像選択部１０７はデータ保持部１０５に保持されている自動連続再生設定データを参照し、その内容に従って画像を自動連続再生する。
【００２９】
図３は、自動連続再生中にプリントを行い、その後自動連続再生を再開する処理の流れを示すフローチャートである。
最初に、ステップＳ３０１において、図２に示した自動連続再生設定データを読み込む。次に、ステップＳ３０２において、ステップＳ３０１で読み込んだ自動連続再生設定データに従い、再生指定されている最初の画像を再生する。
【００３０】
次に、ステップＳ３０３において、自動連続再生中にプリントボタンが押下されているか否かを判定する。この判定の結果、プリントボタンが押されていなければステップＳ３０８に進み、再生中の画像が自動連続再生指定された最終の画像かどうかを判定する。この判定の結果、最終の画像でなければステップＳ３０９に進み、次に再生すべき画像を決定する。
【００３１】
この決定において、現画像に対してプリントが行われていないのであれば単純に自動連続再生設定データより次に指定されている画像番号を取得して次再生画像と決定する。次に、ステップＳ３１０において再生一時停止処理を行う。この処理において、現画像に対してプリントが行われていないのであれば一時停止は行わない。次に、ステップＳ３０２に戻り、ステップＳ３０９で決定された次画像を表示する。
【００３２】
自動連続再生中にプリント操作が行われていないのであれば前記の手順を繰り返し行い、表示した画像が再生指定された最終の画像であればステップＳ３０８の判定の結果、ステップＳ３１１に分岐する。ステップＳ３１１では、自動連続再生設定データ中の項目２０２を調べ、繰り返し再生設定がされていればステップＳ３０９にて次画像を最初の画像として自動連続再生を継続する。また、ステップＳ３１１の判定の結果、繰り返し再生設定がされていなければ、自動連続再生を終了する。
【００３３】
自動連続再生中にプリント操作が行われたら、ステップＳ３０３の判定においてステップＳ３０４に分岐する。ステップＳ３０４においては画像再生を中断し、プリント設定画面を表示する。このとき、現再生中の画像をプリント対象画像とし、その画像番号を図２自動連続再生データ中の項目２０５の「中断時画像番号」に記憶する。プリント設定が行われ、プリントボタンを押下するとステップＳ３０５においてプリントが開始される。
【００３４】
次に、ステップＳ３０６において、図２で説明した自動連続再生データ中の項目２０６を調べ、連続再生の再開をプリント終了まで待つかどうかを判定する。この判定の結果、プリント終了まで待つのであれば、ステップＳ３０７に進み、プリント終了の後にステップＳ３０８へ進む。
【００３５】
一方、ステップＳ３０６の判定の結果、プリント終了を待たないのであればそのままステップＳ３０８へ進む。ステップＳ３０８では、プリント対象であった画像が再生された最終画像であるかどうかを判定する。この判定の結果、最終画像でなければステップＳ３０９において次に再生する画像を決定する。この決定は、図２で説明した自動連続再生データ中の項目２０４の再開時画像指定を調べ、再開時の画像が中断時の画像であるとするならば、再開画像は項目２０５に記憶された中断時画像となる。また、再開時の画像が中断時の次の画像であるならば項目２０５に記憶された中断時画像の次の画像を項目２０８以降のデータをサーチし決定する。
【００３６】
次に、ステップＳ３１０において、再開時の一時停止状態を決定する。この決定は、項目２０３の再開時一時停止に記憶された値を調べて行う。その結果、一時停止が指示されているならば一時停止状態でステップＳ３０２に進み、自動連続再生を再開する。また、項目２０３の再開時一時停止に記憶された値を調べた結果、一時停止が指示されていないならばステップＳ３０２において通常状態として自動連続再生を再開する。
【００３７】
また、ステップＳ３０８において、プリント対象であった画像が最終画像であると判定されたらステップＳ３１１に進み、繰り返し設定の有無を判定する。この判定の結果、繰り返し設定がされていればステップＳ３０９以降の処理を継続する。また、ステップＳ３１１の判定の結果、繰り返し設定がされていなければ処理を終了する。
【００３８】
以上の処理を行うことにより、記録された複数の画像を自動的に連続再生しながら所望の画像が表示された時にその画像を指定してプリントを実行するとともに、そのまま連続再生を続けることが可能になる。
【００３９】
前述した実施形態によってもたらされる主な効果を以下に列挙する。
すなわち、本実施形態の印刷装置の第１の特徴によれば、複数画像を自動連続再生しながら、再生中の画像をプリントするようにしたので、プリントする画像を選択するための画像送りの操作を自動化することができる。
また、第２の特徴によれば、複数画像を自動連続再生しながら、再生表示中の画像をプリントし、プリント終了後に自動連続再生を再開するようにしたので、プリント終了後に画像選択の続きを始めることができる。
また、第３の特徴によれば、複数画像を自動連続再生しながら、再生表示中の画像をプリントし、プリント開始後に自動連続再生を再開するようにしたので、プリントを実行しながら次の画像を選択することができる。
また、第４の特徴によれば、自動連続再生再開時にプリント対象であった画像の再生から始めることにより、自動連続再生での画像の見落としがないか確認することができる。
また、第５の特徴によれば、自動連続再生再開時にプリント対象であった画像の次の画像の再生から始めるようにしたので、同じ画像を誤って２度プリントしたりすることのないようにすることができ、また時間的に効率を上げることができる。
また、第６の特徴によれば、自動連続再生再開時に連続再生の一時停止状態から始めるようにしたので、操作者の意思にかかわりなく自動連続再生が進んでしまうことを防ぐことができる。また、同じ画像を条件を変えて再度プリントする場合に有効である。
【００４０】
前述のような機能を有する印刷装置の外観の一例を図４に示す。
図４は、本実施の形態におけるダイレクトプリントシステムであるＮＣＤＰ（New Camera Direct Print）システムを実装するフォトダイレクト プリンタ（以下、ＰＤプリンタ）１０００の概観斜視図である。ＰＤプリンタ１０００は、ホストコンピュータ（ＰＣ）からデータを受信して印刷する通常のＰＣプリンタとしての機能と、メモリカードなどの記憶媒体に記憶されているデジタル画像を直接読取って印刷したり、或いはデジタルカメラからのデジタル画像を受信して印刷したりする機能を備えている。
【００４１】
図４において、本実施の形態におけるＰＤプリンタ１０００の外殻をなす本体は、ケースＭ１００１、上ケース１００２、アクセスカバー１００３及び排出トレイ１００４の外装部材を有している。
【００４２】
また、下ケース１００１は、ＰＤプリンタ装置１０００の略下半部を、上ケース１００２は本体の略上半部をそれぞれ形成している。そして、両ケースの組合せによって内部に後述の各機構を収納する収納空間を有する中空体構造に形成され、その上面部及び前面部にはそれぞれ開口部が形成されている。
【００４３】
さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開閉させることにより、ここから記録シートが排出可能となるとともに、排出された記録シートを順次積載し得るようになっている。
【００４４】
また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００４５】
アクセスカバー１００３は、その一端部が上ケース１００２に回転自在に保持され、上面に形成される開口部を開閉し得るようになっている。このアクセスカバー１００３を開くことによって本体内部に収納されている記録ヘッドカートリッジ（不図示）あるいはインクタンク（不図示）等の交換が可能となる。
【００４６】
なお、ここでは特に図示しないが、アクセスカバー１００３を開閉させると、その裏面に形成された突起がカバー開閉レバーを回転させるようになっている。そして、そのレバーの回転位置をマイクロスイッチなどで検出することにより、アクセスカバーの開閉状態を検出し得るようになっている。
【００４７】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０に、前述した画像送りボタン、プリントボタン、オートプレイボタン等が配設されている。
【００４８】
１００７は自動給送部で、記録シートを装置本体内へと自動的に給送する。１００８は紙間選択レバーで、プリントヘッドと記録シートとの間隔を調整するためのレバーである。
１００９はカードスロットであり、ここにメモリカードを装着可能なアダプタが挿入され、このアダプタを介してメモリカードに記憶されているデジタル画像を直接取り込んで印刷することができる。このメモリカード（ＰＣ）としては、例えばコンパクトフラッシュ（登録商標）メモリ、スマートメディア、メモリスティック等がある。
【００４９】
１０１１はビューワ（液晶表示部）で、このＰＤプリンタ１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するためのＵＳＢ端子である。また、このＰＤ装置１０００の後面には、パーソナルコンピュータ（ＰＣ）を接続するためのＵＳＢコネクタが設けられている。
【００５０】
（本発明に係る他の実施形態）
前述した本発明の実施形態における印刷装置を構成する各手段、並びに印刷装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５２】
なお、本発明は、前述した実施形態の機能を実現するソフトウェアのプログラム（実施形態では図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５４】
その場合、プログラムの機能を有していれば、オブジェクトコード、インタプリタにより実行されるプログラム、ＯＳに供給するスクリプトデータ等の形態であってもよい。
【００５５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００５６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６１】
【図１】本発明の実施形態を示し、印刷装置の構成例を示すブロック図である。
【図２】実施形態の自動連続再生設定を記憶するデータ構造の一例を説明する図である。
【図３】印刷装置で行われる処理の流れを示すフローチャートである。
【図４】印刷装置の外観を示す斜視図である。
【符号の説明】
【００６２】
１０１  各ブロックを接続するバス
１０２  CF
１０３  ＩＯ制御部
１０４  再生範囲設定部
１０５  データ保持部
１０６  画像再生部
１０７  画像選択部
１０８  表示部
１０９  印刷設定部
１１０  印刷データ生成部
１１１  印刷部
１１２  GUI制御部
１１３  GUI操作部
２０１  再生時間記憶領域
２０２  繰り返し設定記憶領域
２０３  再開時一時停止設定記憶領域
２０４  再開時画像設定記憶領域
２０５  中断時画像番号記憶領域
２０６  プリント終了設定記憶領域
２０７  再生画像数記憶領域
【図１】
2007283609.tif 000003
【図２】
2007283609.tif 000004
【図３】
2007283609.tif 000005
【図４】
2007283609.tif 000006